(57)【要約】      （修正有） 【課題】剥離用紙片を備えた粘着テープとするか通常の粘着テープとするか自由に選択する事ができ、テープ剥離用紙片台側でも粘着テープを切断することができるテープ剥離用紙片台を提供する。【解決手段】取り出した粘着テープの一端に紙片８を貼り付けるテープ剥離用紙片台１であって、紙片を紙押し上げ部材上に複数枚重ね、紙押し上げ部材下にバネを備えた状態で中ケース内に設置し、中ケースを切断部材を設けた外ケース２内に中ケースの上端が外ケースの上面から突出した状態で収納する。さらに、外ケースを載置台７に取り付けてテープ台の切断部前面に置き、テープ台から引き延ばした粘着テープの先端に紙片を貼付けて、切断部材で粘着テープを切断することでテープ剥離用紙片を備えた粘着テープを作成することを特徴とするテープ剥離用紙片台の構成とした。【選択図】図１
0003168675.tif 000002
【実用新案登録請求の範囲】
【請求項１】
取り出した粘着テープの一端に紙片を貼り付けるテープ剥離用紙片台であって、前記紙片を紙押し上げ部材上に複数枚重ね、前記紙押し上げ部材下にバネを備えた状態で中ケース内に設置し、前記中ケースを切断部材を設けた外ケース内に前記中ケースの上端が外ケースの上面から突出した状態で収納し、前記外ケースを載置台に取り付けてテープ台の切断部前面に置き、前記テープ台から引き延ばした粘着テープの先端に前記紙片を貼付けて、前記切断部材で前記粘着テープを切断することでテープ剥離用紙片を備えた粘着テープを作成することを特徴とするテープ剥離用紙片台。
【請求項２】
前記外ケースを、上下が開口した略直方体で正面上部に前記切断部材を係止する正面突起を形成し、左右面に突条を形成し前記突条の内壁面にガイドを形成し、前記ガイド上部に内方に向かって前記押し上げ部材の上部ストッパとなる突起を備えた外ケースとし、前記中ケースを、略直方体で左面が開口し、右面にガイド孔を穿設し、上端に中央部が開口した前記紙片を保持する拡張部を形成し、内側下部に前記バネの下端を係止する係止片を備えた中ケースとし、前記紙押し上げ部材を、底面が開口した略直方体で左右面に突起を備えた紙押し上げ部材とし、前記紙押し上げ部材の左面の突起が前記外ケースの左面ガイド内をスライド移動し、右面の突起が右面ガイド内をスライド移動することを特徴とする請求項１に記載のテープ剥離用紙片台。
【請求項３】
前記載置台を、底面に突出板を備えた載置台とし、前記突出板上に前記テープ台を載せて載置台を安定させたことを特徴とする請求項１または請求項２に記載のテープ剥離用紙片台。
【考案の詳細な説明】
【技術分野】
【０００１】
本考案は、テープ剥離用紙片を備えた粘着テープを簡易迅速に作り出すことができるテープ剥離用紙片台に関する。
【背景技術】
【０００２】
従来、テープ台より取り出した粘着テープは、貼り付けた後に不要となって取り除く場合に、貼り付けた粘着テープの端部を爪などで剥がして摘みを得てからゆっくりと全体を剥がすという方法で取り除いてきた。
【０００３】
しかしながら、このような方法の場合、まず爪などで摘みを得るまでに時間がかかる上に、粘着テープを貼り付けた側の表面を傷つける事があり、綺麗に剥がすことができなかった。
【０００４】
このような問題を解決するために、特許文献１に示すような考案が公開されているが、剥離用紙片を貼付することのみで粘着テープを切断することはできなかった。
【０００５】
更に、特許文献２に示すような発明が公開されているが、テープ台に直接紙片を備えるため常に粘着テープの他端に剥離用紙片が取り付けられており、剥離用紙片付きの粘着テープと通常の粘着テープを使い分ける事ができなかった。
【先行技術文献】
【特許文献】
【０００６】
【特許文献１】実開平５−８９２０９号公報
【特許文献２】特開２００４−２１７４１５号公報
【考案の概要】
【考案が解決しようとする課題】
【０００７】
そこで、本考案は、剥離用紙片を備えた粘着テープとするか通常の粘着テープとするか自由に選択する事ができ、テープ剥離用紙片台側でも粘着テープを切断することができるテープ剥離用紙片台を提供する。
【課題を解決するための手段】
【０００８】
本考案は、上記の課題を解決するために、取り出した粘着テープの一端に紙片を貼り付けるテープ剥離用紙片台であって、前記紙片を紙押し上げ部材上に複数枚重ね、前記押し上げ部材下にバネを備えた状態で中ケース内に設置し、前記中ケースを切断部材を設けた外ケース内に前記中ケースの上端が外ケースの上面から突出した状態で収納し、前記外ケースを載置台に取り付けてテープ台の切断部前面に置き、前記テープ台から引き延ばした粘着テープの先端に前記紙片を貼付けて、前記切断部材で前記粘着テープを切断することでテープ剥離用紙片を備えた粘着テープを作成することを特徴とするテープ剥離用紙片台の構成とした。
【０００９】
また、前記外ケースを、上下が開口した略直方体で正面上部に前記切断部材を係止する正面突起を形成し、左右面に突条を形成し前記突条の内壁面にガイドを形成し、前記ガイド上部に内方に向かって前記押し上げ部材の上部ストッパとなる突起を備えた外ケースとし、前記中ケースを、略直方体で左面が開口し、右面にガイド孔を穿設し、上端に中央部が開口した前記紙片を保持する拡張部を形成し、内側下部に前記バネの下端を係止する係止片を備えた中ケースとし、前記紙押し上げ部材を、底面が開口した略直方体で左右面に突起を備えた紙押し上げ部材とし、前記押し上げ部材の左面の突起が前記外ケースの左面ガイド内をスライド移動し、右面の突起が右面ガイド内をスライド移動することを特徴とするテープ剥離用紙片台の構成とした。
【００１０】
更に、前記載置台を、底面に突出板を備えた載置台とし、前記突出板上に前記テープ台を載せて載置台を安定させたことを特徴とするテープ剥離用紙片台の構成とした。
【考案の効果】
【００１１】
本考案は上記のような構成であるため、テープ剥離用紙片台側でも粘着テープを切断することできる。
【００１２】
また、必要に応じて、テープ台の正面に配置して使用することができるため、複数のテープ台を保有している場合でも、それぞれのテープ台で使用でき、テープ台数分を準備することなく対応することができる。
【図面の簡単な説明】
【００１３】
【図１】本考案であるテープ剥離用紙片台の斜視図である。
【図２】本考案であるテープ剥離用紙片台の外ケースを示す図である。
【図３】本考案であるテープ剥離用紙片台の外ケースの断面図である。
【図４】本考案であるテープ剥離用紙片台の中ケースを示す図である。
【図５】本考案であるテープ剥離用紙片台の中ケースの断面図である。
【図６】本考案であるテープ剥離用紙片台のバネを示す図である。
【図７】本考案であるテープ剥離用紙片台の紙押し上げ部材を示す図である。
【図８】本考案であるテープ剥離用紙片台の刃を示す図である。
【図９】本考案であるテープ剥離用紙片台の外ケース、中ケース、バネ、紙押し上げ部材及び刃を組み合わせた平面図及び断面図である。
【図１０】本考案であるテープ剥離用紙片台のを示す図である。
【考案を実施するための形態】
【００１４】
以下、添付の図面を参照し、本考案の実施の形態について詳細に説明する。
【実施例１】
【００１５】
図１は本考案であるテープ剥離用紙片台の斜視図である。図１に示すように、本考案であるテープ剥離用紙片台１は、取り出した粘着テープの一端に紙片８を貼り付けるテープ剥離用紙片台であって、前記紙片８を紙押し上げ部材５上に複数枚重ね、前記押し上げ部材５下にバネ４を備えた状態で中ケース３内に設置し、前記中ケース３を切断部材６を設けた外ケース２内に前記中ケース３の上端が外ケース２の上面から突出した状態で収納し、前記外ケース２を載置台７に取り付けてテープ台の切断部前面に置き、前記テープ台から引き延ばした粘着テープの先端に前記紙片８を貼付けて、前記切断部材６で前記粘着テープを切断することでテープ剥離用紙片を備えた粘着テープを作成することを特徴とする。
【００１６】
次に図２から図１０を使用して、本考案であるテープ剥離用紙片台１を構成する各部を説明する事とする。
【００１７】
図２は本考案であるテープ剥離用紙片台の外ケースを示す図、図３はテープ剥離用紙片台の外ケースの断面図、図４はテープ剥離用紙片台の中ケースを示す図、図５はテープ剥離用紙片台の中ケースの断面図、図６はテープ剥離用紙片台のバネを示す図、図７はテープ剥離用紙片台の紙押し上げ部材を示す図、図８はテープ剥離用紙片台の刃を示す図、図９はテープ剥離用紙片台の外ケース、中ケース、バネ、紙押し上げ部材及び刃を組み合わせた平面図及び断面図、図１０はテープ剥離用紙片台のを示す図である。
【００１８】
図２及び図３に示すように、前記外ケース２は、上下が開口した略直方体で正面上部に前記切断部材６を係止する正面突起２ｇを形成し、左右面に突条２ｂ、２ｃを形成し前記突条２ｂ、２ｃの内壁面にガイド２ｊ、２ｋを形成し、前記ガイド２ｊ、２ｋ上部に内方に向かって前記押し上げ部材５の上部ストッパとなる突起２ｈ、２ｉを備えた本体２ａからなる。
【００１９】
前記左右突条２ｂ、２ｃは、前記本体２ａの左右面の上端から下端にかけて形成されており、前記左突条２ｂの幅は右突条２ｃの幅よりも狭い。
【００２０】
前記左右突条２ｂ、２ｃの内壁面側は左右ガイド２ｊ、２ｋが形成されており、前記左右ガイド２ｊ、２ｋは左右突条２ｂ、２ｃの上端から下端にかけて形成されている。また、前記左右ガイド２ｊ、２ｋの上部には本体２ａの内方に向かって左右内突起２ｈ、２ｉが形成されている。
【００２１】
前記本体２ａの正面の上端には凹部２ｆが形成されており、本体２ａの左右面及び背面の上端よりも正面の上端は一段低くなっている。この正面の上端からやや下がった位置の中央には正面突起２ｇが形成されており、前記正面突起２ｇは上部から下部に向かうに従って徐々に突出したテーパー状をしている。
【００２２】
前記本体２ａの正面の上端の左右端にはそれぞれ前左係止片２ｄ及び前右係止片２ｅが形成されている。前左係止片２ｄは、略Ｌ字状をしており、左面、底面及び正面を備え、右面及び上面は開口している。また、本体２ａに形成されるため、前左係止片２ｄの背面の役割は本体２ａの正面の一部が兼ねている。
【００２３】
また、前記右係止片２ｅは前左係止片２ｄと同径同大であり、即ち、略Ｌ字状をしており、右面、底面及び正面を備え、左面及び上面は開口している。また、本体２ａに形成されるため、前右係止片２ｅの背面の役割は本体２ａの正面の一部が兼ねている。
【００２４】
従って、前左右係止片２ｄ、２ｅの正面と本体２ａの正面の間には隙間が形成され、平板状の切断部材６を挿入することができる。
【００２５】
図４及び図５に示すように、前記中ケース３は、略直方体で左面が開口３ｃし、右面にガイド孔３ｄを穿設し、上端に中央部が開口した前記紙片を保持する拡張部３ｂを形成し、内側下部に前記バネ４の下端を係止する係止片３ｅを備えた挿入部３ａからなる。
【００２６】
前記挿入部３ａの横幅は、前記外ケース２の左右内突起２ｈ、２ｉの端部同士の幅よりも狭く、前記拡張部３ｂの横幅は、前記外ケース２の左右内突起２ｈ、２ｉの端部同士の幅よりも大きい。従って、中ケース３を前記外ケース２内に挿入した場合、拡張部３ｂが左右内突起２ｈ、２ｉに接触するまで挿入部３ａを外ケース２内に挿入することができる。
【００２７】
前記拡張部３ｂの上面は開口しており、上面左端には左上片３ｆが形成され、同じく上面右端には右上片３ｇが形成されて、拡張部３ｂの上部開口３ｈがやや制限されている。
【００２８】
前記底部係止片３ｅは、挿入部３ａの背面側の内側下部に形成されており、底部係止片３ｅと挿入部３ａの底面の間には隙間が設けられている。
【００２９】
図６に示すように、バネ４は、前記中ケース３内に設置される部材で、バネ４の下端を前記底面係止片３ｅに係止して固定される。尚、バネ４の平面形状を楕円形としたが特に限定したものではなく、平面形状が他の形状であっても構わない。
【００３０】
図７に示すように、前記紙押し上げ部材５は、底面が開口した略直方体で左右面に突起５ｂ、５ｃを備えた押上台５ａからなる。
【００３１】
前記右突起５ｃの端部には拡張部５ｄが形成されており、左突起５ｂには拡張部が形成されていない。
【００３２】
前記左突起５ｂの横幅は、前記外ケース２の左ガイド２ｊの幅よりも小さく、前記右突起５ｃの横幅は、前記右ガイド孔３ｄの幅よりも小さい。但し、前記拡張部５ｄの横幅は右ガイド孔３ｄよりも大きく右ガイド２ｋの横幅よりも小さい。
【００３３】
前記紙押し上げ部材５は、前記バネ４の上端に取り付けられた状態で前記中ケース３内に取り付けられ、このとき、前記左突起５ｂが左ガイド２ｊ内に、右突起５ｃは右ガイド孔３ｄ内に、右突起５ｃの拡張部５ｄは右ガイド２ｋ内に位置している。
【００３４】
このように、紙押し上げ部材５は、左突起５ｂが左ガイド２ｊにより、右突起５ｃが右ガイド孔３ｄにより制御されているため、バネ４の伸び縮みに従って安定した上下動をすることができる。
【００３５】
尚、前記押上台５ａの横幅は、前記左右上片３ｆ、３ｇの端部同士の距離よりも大きいため、バネ４が伸びても押上台５ａが中ケース３から飛び出すことはない。
【００３６】
図８に示すように、前記切断部材６は、上辺に刃６ｂを形成したプレート６ａからなり、前記プレート６ａの中心よりやや下には孔６ｃが穿設されている。
【００３７】
また、前記プレート６の上部は、背面に向かって一度屈曲してから垂直上方に向かい、更に前方斜め上方に向かって屈曲した屈曲部６ｄを形成している。
【００３８】
プレート６は、前記外ケース２の前左右係止片２ｄ、２ｅと本体２ａの正面の間に挿通され、前記正面突起２ｇを前記孔６ｃに係止して固定される。
【００３９】
前記切断部材６を外ケース２に取り付けた状態では、外ケース２の上端よりも刃６ｂの上端の方が上に位置している。
【００４０】
前記、外ケース２、中ケース３、バネ４、紙押し上げ部材５及びプレート６を組み合わせると、図９のようになる。このように、組み合わせて、前記紙押し上げ部材５を下方に向かって押し下げ、押上台５ａの上部に紙片８を設置する。紙片８が一枚ずつ引き抜かれることによりバネ４が押上台５ａを上方に押し上げてゆく。
【００４１】
図１０に示すように、前記載置台７は、前記外ケース２を嵌入するための嵌入部７ａを形成した台で、前記嵌入部７ａの左右には左右突出部７ｂ、７ｃを形成している。また、前記嵌入部７ａの底部７ｄは底面に対して傾斜している。即ち、嵌入部７ａに外ケース２を取り付けた状態では、外ケース２が傾斜するようになっている。
【００４２】
尚、載置台７の外形は特に図１０に示したような側面形状が略台形に限定したものではなく、載置台７に形成する前記嵌入部７ａが底面に対して傾斜しており、前記嵌入部７ａの横幅が外ケース２の横幅と等しければよい。
【００４３】
前記載置台７の底面には背面側に向かって突出板７ｅが形成されており、載置台７をテープ台の正面に設置する際に、テープ台を前記突出板７ｅ上に載せて使用する。重量のあるテープ台が突出板７ｅに乗ることで載置台７が安定する。
【産業上の利用可能性】
【００４４】
本考案であるテープ剥離用紙片台は、簡単に既存の粘着テープに剥離用紙片を取り付けることができるため、粘着テープを使用する様々な領域に多大な貢献をもたらす。
【符号の説明】
【００４５】
１      テープ剥離用紙片台
２      外ケース
２ａ    本体
２ｂ    左突条
２ｃ    右突条
２ｄ    前左係止片
２ｅ    前右係止片
２ｆ    凹部
２ｇ    正面突起
２ｈ    左内突起
２ｉ    右内突起
２ｊ    左ガイド
２ｋ    右ガイド
３      中ケース
３ａ    挿入部
３ｂ    拡張部
３ｃ    開口
３ｄ    右ガイド孔
３ｅ    底部係止片
３ｆ    左上片
３ｇ    右上片
３ｈ    上部開口
４      バネ
５      紙押し上げ部材
５ａ    押上台
５ｂ    左突起
５ｃ    右突起
５ｄ    拡張部
６      切断部材
６ａ    プレート
６ｂ    刃
６ｃ    孔
６ｄ    屈曲部
７      載置台
７ａ    嵌入部
７ｂ    左突出部
７ｃ    右突出部
７ｄ    嵌入部底部
７ｅ    突出板
８      紙片
【図１】
0003168675.tif 000003
【図２】
0003168675.tif 000004
【図３】
0003168675.tif 000005
【図４】
0003168675.tif 000006
【図５】
0003168675.tif 000007
【図６】
0003168675.tif 000008
【図７】
0003168675.tif 000009
【図８】
0003168675.tif 000010
【図９】
0003168675.tif 000011
【図１０】
0003168675.tif 000012